(57)【要約】【課題】家具等の転倒防止装置の上部当接部材を天井や家具の傾斜に合わせて揺動可能とし、かつ、前記上部当接部材の過剰な傾倒を規制することができると共に、簡単な構造かつ構成部材が少なく製造することができる家具等の転倒防止具を提供することを目的とする。【解決手段】支柱２０と該支柱２０の長手方向上端部に配置する上部当接部材４０と長手方向下端部に配置する下部当接部材３０とを備え、前記下部当接部材３０の略中央部に前記支柱２０に向けて長さ調節軸３２を突設し、前記支柱２０の下端に前記長さ調節軸３２を進退自在に受け入れる嵌入孔２６を設け、前記長さ調節軸３２を前記嵌入孔２６に進退させることにより全長を伸縮させる家具等の転倒防止具１０であって、前記上部当接部材４０と前記支柱２０との間に弾性体Ｓを介装させると共に、前記上部当接部材４０と前記支柱２０との間に前記上部当接部材４０を天井又は／および家具の傾斜に合わせて傾斜可能とする傾斜間隙Ｗと前記上部当接部材４０の傾倒を規制する規制手段とを備えるように構成した。【選択図】    図２
0003121425.tif 000002
【実用新案登録請求の範囲】
【請求項１】
支柱と該支柱の長手方向上端部に配置する上部当接部材と長手方向下端部に配置する下部当接部材とを備え、前記下部当接部材の略中央部に前記支柱に向けて長さ調節軸を突設し、前記支柱の下端に前記長さ調節軸を進退自在に受け入れる受入孔を設け、前記長さ調節軸を前記受入孔に進退させることにより全長を伸縮させる家具等の転倒防止具であって、
前記上部当接部材と前記支柱との間に弾性体を介装させると共に、前記上部当接部材と前記支柱との間に前記上部当接部材を天井又は／および家具の傾斜に合わせて傾斜可能とする傾斜間隙と前記上部当接部材の傾倒を規制する規制手段とを備えてなることを特徴とする家具等の転倒防止具。
【請求項２】
前記上部当接部材は前記支柱が受入可能であって前記支柱より径大の有底受入孔を備え、該有底受入孔に前記弾性体の一端部を固定すると共に、前記支柱は上端部に前記弾性体が受入可能な受入孔を備え、
前記受入孔に前記弾性体を挿入して前記上部当接部材を前記支柱に載置することにより、前記有底受入孔の孔径と前記支柱の外径との間に前記傾斜間隙を構成すると共に前記規制手段を構成してなることを特徴とする請求項１に記載の家具等の転倒防止具。
【請求項３】
前記支柱に遊嵌され、前記調節軸を隠蔽する筒状の遮蔽部を備えてなることを特徴とする請求項１又は２に記載の家具等の転倒防止具。
【請求項４】
家具と天井との間に配置される請求項１乃至３の何れかに記載の家具等の転倒防止具と、前記家具の底部に挿入して前記家具を後方に傾斜させる傾斜具とを備えることを特徴とする家具等の転倒防止装置。
【考案の詳細な説明】
【技術分野】
【０００１】
本考案は、地震が生じたときに発生する振動によって、箪笥、食器棚、本棚、キャビネット等の家具（以下、「家具等」という。）が転倒するのを防止するための家具等の転倒防止具および家具等の転倒防止装置に関する。
【背景技術】
【０００２】
従来、地震が生じたときに発生する振動によって家具等が転倒するのを防止する家具等の転倒防止具として、例えば、伸縮自在にその長さを調整できるように構成して、家具と天井との間に介在させ、突っ張らせることにより家具を建物に固定するものは提案されている。
【０００３】
前記家具等の転倒防止具としては、例えば、実用新案登録第３０１５２２３号公報に記載のものが公知である。この家具等の転倒防止具は、家具上部と天井部との間に家具と天井部とを突っ張り状態で固定する支柱を設け、この支柱を上部支柱とこの上部支柱がスライド可能に嵌入する下部支柱とで構成し、前記上部支柱の上端に水平支承板を設け、この水平支承板上にコイルスプリングのような弾性体を介して天井部に当接する水平天井当接板を設け、前記下部支柱の下端に前記家具の上面と側面に当接する家具保持板を設け、前記下部支柱の上端に上前記部支柱の引き出し長さを調節固定する調節固定具を設けている。
【０００４】
【特許文献１】実用新案登録第３０１５２２３号公報
【考案の開示】
【考案が解決しようとする課題】
【０００５】
しかしながら、前記家具等の転倒防止具は、前記上部支柱の上方に前記水平支承板と前記水平天井当接板とを別途設けて、その間にコイルスプリングを介装しているため、構造が複雑となり、また、所定面と有する前記水平支承板と前記水平天井当接板とを前記コイルスプリングで介装しているので、前記コイルスプリングは少なくとも複数個配置する必要が生じ、構成部材を多く必要とし、多数の製造工程を必要とする。
【０００６】
本考案は、かかる事情に鑑みてなされたものであって、前記上部当接部材と前記支柱との間に、直接弾性体を介装させると共に、前記上部当接部材と前記支柱との間に前記上部当接部材を天井や家具の傾斜に合わせて傾斜可能とする傾斜間隙と前記上部当接部材の傾倒を規制する規制手段とを設けて、前記上部当接部材を天井や家具の傾斜に合わせて揺動可能とし、かつ前記上部当接部材の過剰な傾倒を規制することができると共に、簡単な構造かつ構成部材が少なく製造することができる家具等の転倒防止具を提供することを目的とする。
【０００７】
また、本考案の他の目的は、前記のごとき構成からなる家具等の転倒防止具において、前記調節軸が外部から見えないようにして、外観上見栄えのよい家具等の転倒防止装置を提供することを目的とする。
【０００８】
さらに、本考案の他の目的は、前記のごとき構成からなる家具等の転倒防止具と、前記家具の底部に挿入して前記家具を後方に傾斜させる傾斜具との組合せによって、より効果的な家具等の転倒防止装置を提供することを目的とする。
【課題を解決するための手段】
【０００９】
請求項１に記載の家具等の転倒防止具は、支柱と該支柱の長手方向上端部に配置する上部当接部材と長手方向下端部に配置する下部当接部材とを備え、前記下部当接部材の略中央部に前記支柱に向けて長さ調節軸を突設し、前記支柱の下端に前記長さ調節軸を進退自在に受け入れる受入孔を設け、前記長さ調節軸を前記受入孔に進退させることにより全長を伸縮させる家具等の転倒防止具であって、前記上部当接部材と前記支柱との間に弾性体を介装させると共に、前記上部当接部材と前記支柱との間に前記上部当接部材を天井又は／および家具の傾斜に合わせて傾斜可能とする傾斜間隙と前記上部当接部材の傾倒を規制する規制手段とを備えてなることを特徴とする。
【００１０】
請求項１に記載の家具等の転倒防止具にあっては、前記上部当接部材と前記支柱との間に介装させた弾性体の撓みと前記上部当接部材を天井又は／および家具の傾斜に合わせて傾斜可能とする傾斜間隙とによって、前記上部当接部材は揺動可能となり、天井や家具の傾斜に合わせて取り付けることができると共に、地震が生じたときに発生する振動を適宜吸収することができ、また、前記上部当接部材の傾倒を規制する規制手段によって前記上部当接部材の過剰な傾倒を規制することができるので、好適に突っ張り状態を維持することができる。
【００１１】
請求項２に記載の家具等の転倒防止具は、請求項１に記載の家具等の転倒防止具において、前記上部当接部材は前記支柱が受入可能であって前記支柱より径大の有底受入孔を備え、該有底受入孔に前記弾性体の一端部を固定すると共に、前記支柱は上端部に前記弾性体が受入可能な受入孔を備え、前記受入孔に前記弾性体を挿入して前記上部当接部材を前記支柱に載置することにより、前記有底受入孔の孔径と前記支柱の外径との間に前記傾斜間隙を構成すると共に前記規制手段を構成してなることを特徴とする。
【００１２】
請求項２に記載の家具等の転倒防止具にあっては、前記上部当接部材と前記支柱との間に介装させた弾性体の撓みと前記上部当接部材を天井又は／および家具の傾斜に合わせて傾斜可能とする傾斜間隙とによって、前記上部当接部材は揺動可能となり、天井や家具の傾斜に合わせて取り付けることができると共に、地震が生じたときに発生する振動を適宜吸収することができ、また、前記上部当接部材の傾倒を規制する規制手段によって前記上部当接部材の過剰な傾倒を規制することができるので、好適に突っ張り状態を維持することができる。
【００１３】
請求項３に記載の家具等の転倒防止具は、請求項１又は２に記載の家具等の転倒防止具において、前記支柱に遊嵌され、前記調節軸を隠蔽する筒状の遮蔽部を備えてなることを特徴とする。
【００１４】
請求項３に記載の家具等の転倒防止具にあっては、前記支柱、上部当接部材、下部当接部材および遮蔽部を木製とした場合にあっては、金属製の前記調節軸を筒状の遮蔽部によって外部から遮蔽することができるので、木製の高級家具に使用した場合であっても、外観を損なうことなく、外観上見栄えの良いものとなる。
【００１５】
請求項４に記載の家具等の転倒防止装置は、家具と天井との間に配置される請求項１乃至３の何れかに記載の家具等の転倒防止具と、前記家具の底部に挿入して前記家具を後方に傾斜させる傾斜具とを備えることを特徴とする。
【００１６】
請求項４に記載の家具等の転倒防止装置にあっては、前記傾斜具によって、前記家具を壁面に凭れ掛けるように傾斜させて前記家具が前倒するのを防止するとともに、地震による前記家具の移動を防止することができ、前記家具の傾斜に合わせて揺動可能な上部当接部材を備える家具転倒防止具を、家具の天板と天井面との間に配置しているので、転倒防止効果がさらに高まることとなる。
【考案の効果】
【００１７】
請求項１に記載の考案によれば、支柱と該支柱の長手方向上端部に配置する上部当接部材と長手方向下端部に配置する下部当接部材とを備え、前記下部当接部材の略中央部に前記支柱に向けて長さ調節軸を突設し、前記支柱の下端に前記長さ調節軸を進退自在に受け入れる受入孔を設け、前記長さ調節軸を前記受入孔に進退させることにより全長を伸縮させる家具等の転倒防止具であって、前記上部当接部材と前記支柱との間に弾性体を介装させると共に、前記上部当接部材と前記支柱との間に前記上部当接部材を天井又は／および家具の傾斜に合わせて傾斜可能とする傾斜間隙と前記上部当接部材の傾倒を規制する規制手段とを備えているので、前記上部当接部材と前記支柱との間に介装させた弾性体の撓みと前記上部当接部材を天井又は／および家具の傾斜に合わせて傾斜可能とする傾斜間隙とによって、前記上部当接部材は揺動可能となり、天井や家具の傾斜に合わせて取り付けることができると共に、地震が生じたときに発生する振動を適宜吸収することができ、また、前記上部当接部材の傾倒を規制する規制手段によって前記上部当接部材の過剰な傾倒を規制することができるので、好適に突っ張り状態を維持することができる。
【００１８】
請求項２に記載の考案によれば、請求項１に記載の家具等の転倒防止具に加えて、前記上部当接部材は前記支柱が受入可能であって前記支柱より径大の有底受入孔を備え、該有底受入孔に前記弾性体の一端部を固定すると共に、前記支柱は上端部に前記弾性体が受入可能な受入孔を備え、前記受入孔に前記弾性体を挿入して前記上部当接部材を前記支柱に載置することにより、前記有底受入孔の孔径と前記支柱の外径との間に前記傾斜間隙を構成すると共に前記規制手段を構成しているので、前記上部当接部材と前記支柱との間に介装させた弾性体の撓みと前記上部当接部材を天井又は／および家具の傾斜に合わせて傾斜可能とする傾斜間隙とによって、前記上部当接部材は揺動可能となり、天井や家具の傾斜に合わせて取り付けることができると共に、地震が生じたときに発生する振動を適宜吸収することができ、また、前記上部当接部材の傾倒を規制する規制手段によって前記上部当接部材の過剰な傾倒を規制することができるので、好適に突っ張り状態を維持することができる。
【００１９】
請求項３に記載の考案によれば、請求項１又は２に記載の家具等の転倒防止具に加えて、前記支柱に遊嵌され、前記調節軸を隠蔽する筒状の遮蔽部を備えているので、前記支柱、上部当接部材、下部当接部材および遮蔽部を木製とした場合にあっては、金属製の前記調節軸を前記遮蔽部によって外部から遮蔽することができるので、木製の高級家具に使用した場合であっても、外観を損なうことなく、外観上見栄えの良いものとなる。
【００２０】
請求項４に記載の考案によれば、家具と天井との間に配置される請求項１乃至３の何れかに記載の家具等の転倒防止具と、前記家具の底部に挿入して前記家具を後方に傾斜させる傾斜具とを備えているので、前記傾斜具によって、前記家具を壁面に凭れ掛けるように傾斜させて前記家具が前倒するのを防止するとともに、地震による前記家具の移動を防止することができ、前記家具の傾斜に合わせて揺動可能な上部当接部材を備える家具転倒防止具を、家具の天板と天井面との間に配置しているので、転倒防止効果がさらに高まることとなる。
【考案を実施するための最良の形態】
【００２１】
以下、本考案を実施するための最良の形態を、図面に基づいて具体的に説明する。
【００２２】
図１は本実施の形態に係る家具転倒防止具を示す斜視図であり、図２は分解斜視図である。
【００２３】
図１および図２において、１０は家具等の転倒防止具（以下「家具転倒防止具」という。）であり、該家具転倒防止具１０は、支柱２０と、該支柱２０の下端部に配置された下部当接部材３０と、前記支柱２０の上端部に配置された上部当接部材４０と、前記支柱２０に遊嵌された遮蔽筒５０とから構成される。
【００２４】
図３（ａ）は支柱の斜視図であり、（ｂ）は同平面図、（ｃ）は底面図である。図４（ａ）は支柱下端に取り付けた座付ナットの斜視図であり、（ｂ）は同断面図である。
【００２５】
前記支柱２０は、木製の長尺円筒形状の支柱本体２１の上端面２２の中央から軸心に沿って下方に向けて後述するコイルスプリングＳを受け入れる有底状のバネ受入孔２３を開口しており、該バネ受入孔２３の底面には前記コイルスプリングＳを受け止めるワッシャ２４を皿ネジＮで取り付けている。一方、 前記支柱本体２１の下端面２５には、該下端面２５の中央から軸心に沿って上方に向けて細長い有底状の調整軸受入孔２６を開口しており、さらに前記下端面２５には座付ナット２７を取り付けている。
【００２６】
前記座付ナット２７は、図４（ａ）および（ｂ）に詳細に示すように、前記調整軸受入孔２６の内径に略合わせた外径を有し、中央にネジ孔２７ｂが形成されたナット本体２７ａの一端側に略三角形状の座面部２７ｃを形成し、該座面部２７ｃにネジ孔２７ｄ・・を三方等間隔に形成している。そして、前記座付ナット２７を前記ナット本体２７ａを支柱本体２１の下部側に形成されている調整軸受入孔２６の入口内に突入して、前記座面部２７ｃが前記支柱本体２１の下端面２５に当接した姿勢で、３本の皿ネジＮ・・を用いて、前記下端面２５に取り付けているのである。
【００２７】
図５（ａ）は下部当接部材に取り付けた調節軸を示す正面図であり、（ｂ）は同じく底面図、（ｃ）は同じく下部要部断面図である。図６は支柱と下部当接部材との組み付け状態を示す断面図である。
【００２８】
前記下部当接部材３０は、木製の略台形状の角片から成形しており、図２に示すように、上面３１の中央部から上方に向けて調整軸３２を突設している。該調節軸３２は、図５に詳細に示すように、長ネジ部３２ａと、該長ネジ部３２ａに下部に取り付けている円形の取付板３２ｂとで構成されており、該取付板３２ｂにはネジ孔３２ｄ・・を三方等間隔に形成しており、さらに、前記取付板３２ｂの下面には、位置決めのための突起３２ｄを突設している。そして、図６に示すように、前記座付ナット２７に前記調整ネジ３２を螺入して、前記支柱２０と前記下部当接部材３０とを組み付けるのである。
【００２９】
図７は上部当接部材の支柱への載置状態を示す断面図である。
【００３０】
前記上部当接部材４０は、前記下部当接部材３０と同様に木製の略台形状の角片から成形しており、図２および図７に示すように、下面４１の中央部に前記支柱２０の上端部を受け入れる有底状の支柱受入孔４２を開口している。該支柱受入孔４２は、前記支柱２０の外径よりも径大に形成しており、前記支柱２０と前記支柱受入孔４２との間に所定幅の傾斜間隙Ｗを形成している。前記支柱受入孔４２の底面には、前記コイルスプリングＳの端部を嵌め込むための円孔４２ａを穿設している。
【００３１】
一方、前記コイルスプリングＳは、端部Ｓ１を径小に形成しており、前記円孔４２ａに前記端部Ｓ１を嵌め込んだ上から、ワッシャ４３を被せて、タッピングビスＴで固定し、これにより、前記コイルスプリングＳを前記上部当接部材４０に固定している。
【００３２】
そして、前記コイルスプリングＳを、前記支柱２０の上面に開口する前記バネ受入孔２３に挿入すると、前記コイルスプリングＳの他端部Ｓ２が、前記ワッシャ２４に当接し、これにより、前記上部当接部材４０は、前記コイルスプリングＳを介在させた状態で、前記支柱２０に載置された状態となる。
【００３３】
前記載置状態においては、図７に示すように、前記支柱２０の上端部を前記支柱受入孔４２の深さＤの１／２から２／３程度突入させており、一方で、前記傾斜間隙Ｗを、前記支柱２０の突入部分の外周に設けているので、前記上部当接部材４０は、前記コイルスプリングＳの撓みにより、前後左右方向（前記支柱２０の全周方向）において、水平方向に１０度〜２０度程度揺動することができると共に、過度に傾斜した場合は、前記支柱受入孔４２の開口端縁４２ｂが、前記支柱２０の上部外周に衝突して、前記上部当接部材４０のそれ以上の傾斜を規制することとなる。
【００３４】
なお、使用状態（突っ張り状態）においても、前記支柱２０の上端面２２が、前記上部当接部材４０の支柱受入孔４２の底面と当接することはなく、前記上部当接部材４０は、必ず前記コイルスプリングＳを介在して載置されており、また、使用状態（突っ張り状態）においても、前記上部当接部材４０は、前記コイルスプリングＳの撓みにより、前後左右方向（前記支柱２０の全周方向）において、水平方向に１０度〜２０度程度揺動することができると共に、過度に傾斜した場合は、前記支柱受入孔４２の開口端縁４２ｂが、前記支柱２０の上部外周に衝突して、前記上部当接部材４０のそれ以上の傾斜を規制することとなる。
【００３５】
前記遮蔽筒５０は、前記調節軸３２が外観上露出することを防止するために、前記支柱に遊嵌されるものであって、木製の集成材を略円筒形状に組み合わせて形成されている。前記遮蔽筒５０の中央を貫通する貫通孔５０ａの内径は、前記支柱２０の外径より径大に形成されている。したがって、前記遮蔽筒５０を前記支柱２０に外嵌した場合は、前記遮蔽筒５０は、自重により常にその下端面を前記下部当接部材３０の上面３１に当接した状態で、前記調節軸３２を外から見えないように遮蔽することとなるのである。
【００３６】
図８は支柱を縮めた状態の正面縦断面図であり、図９は支柱を最大限伸長した状態の正面縦断面図である。
【００３７】
前記遮蔽筒５０の高さは、図９に示すように、最大限伸長した状態においても、前記調節軸３２が外から見えないような高さを備えており、したがって、図８に示す支柱を縮めた状態から図９に示す最大限伸長状態まで突っ張り調整したとしても、いずれの段階においても、金属製の前記調節軸３２を外から見えないように遮蔽することができ、外観上見栄えの良いものとなる。
【００３８】
以上のように構成した前記家具転倒防止具１０は、家具の天板と天井との間に配置し、前記支柱２０を回転させて、家具と天井と間で突っ張り状態とさせて、地震等の振動によって前記家具が転倒するのを防止するのであるが、例えば、天井面が若干傾斜している場合、または、前記家具が若干傾斜して置かれている場合であっても、前記上部当接部材４０は揺動可能に構成されているので、前記の各傾斜に合わせて傾斜することができ、また、前記上部当接部材４０の揺動によって地震等の振動を適宜吸収することができ、好適に突っ張り状態を維持することができるのである。
【００３９】
図１０は、家具を後方に傾斜させる傾斜具を示す斜視図であり、図１１は、傾斜具と前記家具転倒防止具１０と組み合わせた家具等の転倒防止装置の使用状態を示す斜視図である。
【００４０】
図１０において、６０は、エラストマー等のゴム弾性を発現させる合成樹脂により、楔状に成形された傾斜具である。該傾斜具６０は、傾斜面６０ａを有しており、図１１に示すように、家具Ｆを壁面ＷＬに凭れ掛けるように、前記家具Ｆの前面底部に差し込み、地震の震動によって、前記家具Ｆが移動または前倒するのを防止している。さらに、前記家具Ｆの天板と天井面との間に、前記家具転倒防止具１０を配置して、家具等の転倒防止装置（以下「家具転倒防止装置」という）１０，６０とし、さらに転倒防止効果を高めている。
【００４１】
このとき、前記家具転倒防止装置１０，６０においては、前記傾斜具６０を前記家具Ｆの底部に差し込んで、前記家具Ｆを後方に傾斜させて、前記家具転倒防止装置１０の上部当接部材４０は、前記家具Ｆの傾斜に合わせた状態で、突っ張ることができるので、好適に突っ張り状態を維持することができるのである。そして、前記傾斜具６０による前記家具Ｆの移動または前倒防止効果と相俟って、さらに転倒防止効果を高めることができることとなるのである。
【００４２】
さらに、前記家具転倒防止具１０および前記家具転倒防止装置１０，６０は、以上のように構成しているので、簡単な構造からなり、構成部材が少なく製造することができるという効果を奏することができるのである。
【図面の簡単な説明】
【００４３】
【図１】本実施の形態に係る家具転倒防止具を示す斜視図である。
【図２】同じく分解斜視図である。
【図３】（ａ）は支柱の斜視図であり、（ｂ）は同平面図、（ｃ）は底面図である。
【図４】（ａ）は支柱下端に取り付けた座付ナットの斜視図であり、（ｂ）は同断面図である。
【図５】（ａ）は下部当接部材に取り付けた調節軸を示す正面図であり、（ｂ）は同じく底面図、（ｃ）は同じく下部要部断面図である。
【図６】支柱と下部当接部材との組み付け状態を示す断面図である。
【図７】上部当接部材の支柱への載置状態を示す断面図である。
【図８】支柱を縮めた状態の正面縦断面図である。
【図９】支柱を最大限伸長した状態の正面縦断面図である。
【図１０】家具を後方に傾斜させる傾斜具を示す斜視図である。
【図１１】傾斜具と家具転倒防止具と組み合わせた家具等の転倒防止装置の使用状態を示す斜視図である。
【符号の説明】
【００４４】
１０    家具等の転倒防止具
２０    支柱
２１    支柱本体
２２    支柱本体の上端面
２３    バネ受入孔
２４    ワッシャ
２５    支柱本体の下端面
２６    調整軸受入孔２６
２７    座付ナット
２７ａ  ナット本体
２７ｂ  ネジ孔
２７ｃ  座面部
２７ｄ  ネジ孔
３０    下部当接部材
３１    下部当接部材の上面
３２    調節軸
３２ａ  長ネジ部
３２ｂ  取付板
３２ｃ  ネジ孔
３２ｄ  突起
４０    上部当接部材
４１    上部当接部材の下面
４２    支柱受入孔
４２ａ  円孔
４３    ワッシャ
５０    遮蔽筒
５０ａ  貫通孔
６０    傾斜具
Ｓ      コイルスプリング
Ｓ１    コイルスプリングの端部
Ｓ２    コイルスプリングの他端部
Ｎ      皿ネジ
Ｔ      タッピングビス
Ｄ      支柱受入孔の深さ
Ｗ      傾斜間隙
Ｆ      家具
ＷＬ    壁面
【図１】
0003121425.tif 000003
【図２】
0003121425.tif 000004
【図３】
0003121425.tif 000005
【図４】
0003121425.tif 000006
【図５】
0003121425.tif 000007
【図６】
0003121425.tif 000008
【図７】
0003121425.tif 000009
【図８】
0003121425.tif 000010
【図９】
0003121425.tif 000011
【図１０】
0003121425.tif 000012
【図１１】
0003121425.tif 000013